(57)【要約】【課題】ＰＤＰにおいて、無効電力やクロストークを効率的に低減することができ、表示特性がアライメントずれに大きく影響されないものを提供する。【解決手段】表示電極１２における主隔壁２４１と交差する位置には、欠片４１，４２が形成されている。  各欠片４１，４２は、欠片４１、４２の開口幅が、主隔壁２４１の幅よりも広く設定され、その深さ方向に進むに従って幅が狭くなり、欠片４１，４２の底部では主隔壁２４１の幅よりも狭くなっている。すなわち、欠片４１の内縁傾斜部分４１ａ及び内縁傾斜部分４１ｂが、深さ方向に進むに従って互いに接近するように傾斜している。【選択図】    図２
2008034105.tif 000002
【特許請求の範囲】
【請求項１】
表示電極が配された第１基板と、第２基板とが、表示電極と交差する隔壁を介して対向配置されてなるプラズマディスプレイ装置において、
前記表示電極は、
隔壁上に対応する部分に欠片が形成され、
当該欠片の内縁は、
隔壁伸張方向に対して傾斜する１対の傾斜部分を有し、
当該傾斜部分どうしの間隔は、深さ方向に進むに従って互いの間隔が狭まっていることを特徴とするプラズマディスプレイ装置。
【請求項２】
前記欠片の幅は、
当該欠片の開口部分では、前記隔壁の幅よりも広く、
前記傾斜部分で、前記隔壁の幅よりも狭く縮小されていることを特徴とする請求項１記載のプラズマディスプレイ装置。
【請求項３】
前記欠片は、
三角形状、五角形状または台形状であることを特徴とする請求項２記載のプラズマディスプレイ装置。
【請求項４】
前記欠片は、
内縁が曲線状であることを特徴とする請求項２記載のプラズマディスプレイ装置。
【請求項５】
前記欠片の開口幅は、
前記隔壁の幅とほぼ同等であることを特徴とすることを特徴とする請求項１記載のプラズマディスプレイ装置。
【請求項６】
前記欠片の幅は、
当該欠片の開口部分では、前記隔壁の幅よりも広く、
前記欠片の底部位置に突部が形成されていることを特徴とする請求項１記載のプラズマディスプレイ装置。
【請求項７】
前記傾斜部分を第１傾斜部分とするとき、
前記突部の縁は、
深さ方向に幅が広がるように隔壁伸張方向に対して傾斜する１対の第２傾斜部分を有していることを特徴とする請求項６記載のプラズマディスプレイ装置。
【請求項８】
前記１対の第１傾斜部分どうしの最小間隔は、前記隔壁の幅以上であり、
前記１対の第２傾斜部分どうしの最大間隔は、前記隔壁の幅以下であることを特徴とする請求項７記載のプラズマディスプレイ装置。
【請求項９】
前記第１傾斜部分と第２傾斜部分とは、
前記隔壁の縁に沿った線に対して、線対称的に傾斜していることを特徴とする請求項７記載のプラズマディスプレイ装置。
【請求項１０】
前記欠片の深さが、１０μｍ以上１００μｍ以下であることを特徴とする請求項１記載のプラズマディスプレイ装置。
【発明の詳細な説明】
【技術分野】
【０００１】
本発明は、プラズマディスプレイ装置に関するものである。
【背景技術】
【０００２】
気体放電からの放射を利用した平面表示装置として、プラズマディスプレイ装置（以下ＰＤＰと記す）の商品化が図られている。
ＰＤＰには直流型（ＤＣ型）と交流型（ＡＣ型）があるが、大型表示装置として現時点ではＡＣ型ＰＤＰがより高い技術的ポテンシャルを持つ。さらに、ＡＣ型の内でも特に寿命特性のすぐれた面放電型ＰＤＰが商品としての主流になりつつある。  
【０００３】
面放電型ＰＤＰは、一般に、前面基板と背面基板とが間隔をあけて互いに平行に配され、前面基板の片面に複数の表示電極対(走査電極と維持電極）がストライプ状に形成され、更にこれらの電極群を覆うように誘電体層および保護層が積層され、一方、背面基板の片面に複数のデータ電極がストライプ状に形成され、更にデータ電極を覆うように誘電体層が積層され、誘電体層上に隔壁が形成され、更に誘電体層の表面上及び隔壁の側壁上に蛍光体層が形成された構成となっている。
【０００４】
両基板は、外周部で貼り合わせられ、その内部空間には、放電用ガスとして、希ガスのキセノン・ネオンあるいはキセノン・ヘリウムなどの混合ガスが封入されており、表示電極対とデータ電極とが立体交差する箇所に放電セルが形成されている。
上記表示電極は通常、電気抵抗が比較的高いＩＴＯ（酸化インジウムスズ）などからなる膜厚約１００ｎｍの透明電極上に、電力を供給するために、Ａｇなどの金属からなる細幅で厚い膜厚のバス電極が積層された構造であって、対をなす透明電極は５０〜１００μｍの放電ギャップを設けてほぼ平行に配列されている。
【０００５】
誘電体層は、低融点ガラスにより層厚数十μｍで形成され、ＡＣ型ＰＤＰ特有の壁電荷を蓄積する機能や電流制限機能を有している。
保護層は通常、電気絶縁性で透明なＭｇＯ膜であって、薄膜プロセス、または印刷法で数百ｎｍの膜厚に形成される。
誘電体層および保護層は、放電によって発生した高エネルギーのイオンによって表示電極対の表面がスパッタリングされ劣化するのを防止する。また保護層は、放電セル内に２次電子を効率よく放出させて、放電開始電圧を低下させる働きもする。
【０００６】
上記隔壁は、隣接するデータ電極の間にストライプ状に形成されたり、或は井桁状に形成される。
ＰＤＰ装置においては、ＰＤＰの各電極に電圧印加する駆動する駆動回路が接続され、これらを制御する制御回路なども備わっている。
走査電極とデータ電極との間に書き込みパルスを印加してプラズマ放電させ、空間電荷が発生し、それが表示電極上の誘電体保護層上に蓄積されて発光セルに書き込みが行なわれる。その後、走査電極と維持電極間維持電圧を印加して、壁電荷が蓄積された放電セルでは維持放電が行われ、それに伴って、各放電セルで放電発光して画像が表示される。
【０００７】
維持放電期間には、表示選択の有無にかかわらず全ラインに維持電圧が印加されるため、非選択セルにおいては、表示発光に寄与しないにもかかわらず表示電極間の容量に応じて充電電力が無効電力として消費される。
【特許文献１】特開２００３−９２０６３号公報
【特許文献２】特開２００１−５７１５６号公報
【発明の開示】
【発明が解決しようとする課題】
【０００８】
従って、ＰＤＰにおいて、上記充電電力を低減することによって、消費電力を低減する技術が望まれている。
このような課題に対して、特許文献１には、表示電極対の隔壁と交差する位置に矩形状の凹部を形成することによって、無効電力を低減する技術が示されている。また特許文献２には、表示電極の形状を、放電空間に対応する部分よりも隔壁上に対応する部分の電極幅を狭くすることが、クロストークの解消に有効であり、消費電力低減にも有効であることが示されている。
【０００９】
ところで、上記のように表示電極の隔壁に対応する位置に凹部を形成したＰＤＰにおいて、封着工程でのアライメントずれにより、ＰＤＰにおいて最も重要な表示性能にばらつきが生じるという問題がある。
すなわち、前面板と背面板を貼り合わせる封着工程では、凹部と隔壁との位置がぴったり合うようにアライメントしながら封着するが、実際の工程ではアライメントのずれが１０〜２０μｍ生じて、表示電極の形成した凹部が隔壁位置にぴったりとは合わないこともある。そして、アライメントが正確になされたものと比べて、アライメントずれが生じたものでは、放電空間内に露出する表示電極面積が異なるので、表示特性が大きく異なってしまうという問題である。
【００１０】
このような課題に対して、表示電極において、隔壁に対応する部分に形成する凹部の幅を、隔壁幅と比べてかなり広く設定すれば、多少アライメントずれが生じても、放電空間内に露出する表示電極面積は変わらないので、表示特性が大きく異なることはない。しかしこの場合、放電空間内に露出する表示電極面積が小さくなるので、放電発光の輝度が低くなり、表示の明るさが低減するという問題がある。
【００１１】
本発明は、このような課題を解決するもので、ＰＤＰにおいて、無効電力やクロストークを効率的に低減することができ、表示特性がアライメントずれに大きく影響されないものを提供することを目的とする。
【課題を解決するための手段】
【００１２】
前記従来の課題を解決するために、本発明のＰＤＰでは、表示電極に、隔壁上に対応する部分に欠片を形成し、欠片の内縁に、深さ方向に進むに従って互いの間隔が狭まるように隔壁伸張方向に対して傾斜する傾斜部分を設けることとした。
ここで「傾斜している」というのは、細かくみると階段状であるが全体的に傾斜している場合も含むこととする。  
【００１３】
本発明において、更に以下のようにすることが好ましい。
欠片の開口幅は、隔壁の幅とほぼ同等であってもよいが、欠片の幅を、当該欠片の開口部分では隔壁の幅よりも広くし、傾斜部分で隔壁の幅よりも狭く縮小されていることが好ましい。
この場合、欠片の内縁は曲線状であってもよいが、欠片の好ましい形状として、三角形状、五角形状あるいは台形状が挙げられる。
【００１４】
欠片の幅を、当該欠片の開口部分では隔壁の幅よりも広くし、欠片の底部位置に突部を形成することも好ましい。
この場合、上記傾斜部分を第１傾斜部分とするとき、突部の縁に、深さ方向に幅が広がるように隔壁伸張方向に対して傾斜する１対の第２傾斜部分を設けることが好ましい。
また、１対の第１傾斜部分どうしの最小間隔を、隔壁の幅以上とし、１対の第２傾斜部分どうしの最大間隔を、隔壁の幅以下とすることが好ましい。
【００１５】
更に第１傾斜部分と第２傾斜部分とが、隔壁の縁に沿った線に対して、線対称的に傾斜していることが好ましい。
欠片の深さは、１０μｍ以上１００μｍ以下とすることが好ましい。
【発明の効果】
【００１６】
本発明のＰＤＰによれば、表示電極には、隔壁上に対応する部分に欠片が形成されているので、クロストークや無効電力が低減されるが、表示電極に形成する欠片の内縁に、深さ方向に進むに従って互いの間隔が狭まるように隔壁伸張方向に対して傾斜する傾斜部分を設けているので、矩形状の欠片を設ける場合と比べて、輝度の低下を抑えながら効率的に無効電力を削減できると共に、ＰＤＰ製造時に隔壁と欠片とのアライメントがずれたときに放電空間に臨む電極面積が低減する度合いを小さくすることができる。従って、アライメントずれに伴うＰＤＰの輝度ばらつきが小さくなるので、ＰＤＰ製造における歩留まりを向上させることが可能となる。
【００１７】
欠片の幅を、当該欠片の開口部分では隔壁の幅よりも広くし、傾斜部分で隔壁の幅よりも狭く縮小すれば、無効電力を低減する効果が大きくなる。
特に、欠片の形状を、三角形状、五画形状あるいは台形状とすれば、無効電力を低減する効果が大きくなり、アライメントずれにともなって放電空間に臨む電極面積が低減する度合いも小さくすることができる。
【００１８】
また、欠片の幅を、欠片の開口部分では隔壁の幅よりも広くし、欠片の底部位置に突部を形成すれば、アライメントずれに伴って放電空間に臨む電極面積が低減する度合いを更に小さくなるので、アライメントずれに伴うＰＤＰの輝度ばらつきも更に小さくなる。
この場合、上記傾斜部分を第１傾斜部分とするとき、突部の縁に、深さ方向に幅が広がるように隔壁伸張方向に対して傾斜する１対の第２傾斜部分を設ければ、アライメントずれに伴うＰＤＰの輝度ばらつきが更に小さくなる。
【００１９】
また、１対の第１傾斜部分どうしの最小間隔を、隔壁の幅以上とし、１対の第２傾斜部分どうしの最大間隔を、隔壁の幅以下とすれば、アライメントずれに伴うＰＤＰの輝度ばらつきが更に小さくなる。
第１傾斜部分と第２傾斜部分とが、隔壁の縁に沿った線に対して、線対称的に傾斜していれば、アライメントずれに伴うＰＤＰの輝度ばらつきをほとんどなくすことができる。
【００２０】
また、欠片の深さについては、欠片の形状によらず、深さ１０μｍ以上とすることにより、無効電力を削減する効果が得られる。一方、欠片の深さを１００μｍよりも大きくしても、無効電力低減効果は大きくならず、もしくは逆に増加する。また、欠片の深さを大きくすると、放電空間に臨む電極面積も減少するため、輝度が低下する。
従って、欠片の深さを１０μｍ以上１００μｍ以下に設定すれば、輝度の低下を抑えながら効率的に無効電力を削減することができる。
【発明を実施するための最良の形態】
【００２１】
〔実施の形態１〕
図１は、本発明の一実施形態にかかるＰＤＰの構成を示す要部斜視図である。
このＰＤＰ１００は、前面パネル１０と背面パネル２０とが貼り合わせられて構成されている。
前面パネル１０は、ガラス板からなる前面基板１１の片面上に複数の表示電極対１２(走査電極１２１と維持電極１２２）がストライプ状に形成され、更にこれらの電極群を覆うように第１誘電体膜１３および保護膜１４が積層されて構成されている。
【００２２】
一方、背面パネル２０は、ガラス板からなる背面基板２１の片面上に複数のデータ電極２２がストライプ状に形成され、更にデータ電極２２を覆うように第２誘電体膜２３が積層され、この第２誘電体膜２３上には、隔壁２４が形成され、更に誘電体膜２３の表面上及び隔壁２４の側壁上に蛍光体膜２５が塗布されて構成されている。
隔壁２４は、データ電極２２どうしの間にあってデータ電極２２に沿って伸長する主隔壁２４１と、主隔壁２４１どうしの間隙を仕切るように主隔壁２４１と直交する方向に伸長する副隔壁２４２とから構成されている。
【００２３】
上記前面基板１１と背面基板２１とは、隔壁２４を介して互いに間隔をあけて平行に配されている。ここで、表示電極１２(走査電極１２１と維持電極１２２）と主隔壁２４１とは直交するように配され、表示電極対１２とデータ電極２２とが立体交差する箇所には放電セルが形成されている。そして、主隔壁２４１と副隔壁２４２によって囲まれた内部が、各放電セルの放電空間３０となっている。
【００２４】
このＰＤＰは、駆動時において、点灯しようとする放電セルで、走査電極１２１とデータ電極２２とに電圧を印加して書き込み放電を起こして壁電荷を貯め、その後、走査電極１２１と維持電極１２２とに交番で維持パルスを印加する。それによって、書き込み放電がなされた放電セルで選択的に維持放電が生じて発光し、画像表示されるようになっている。
【００２５】
走査電極１２１並びに維持電極１２２はそれぞれ、ＩＴＯ，ＳｎＯ2，ＺｎＯ等の導電性金属酸化物からなる幅広の透明電極１２１ａ，１２２ａ上に、抵抗の低い金属（例えばＣｒ／Ｃｕ／Ｃｒ、Ａｇ）からなる幅狭のバス電極１２１ｂ，１２２ｂが積層されて構成されている。
（表示電極１２の特徴）
図２〜５は、本実施形態にかかるＰＤＰの構成を示す平面模式図であって、表示電極１２および隔壁２４だけが示されている。
【００２６】
当図に示されるように、表示電極１２における主隔壁２４１と交差する位置には、欠片４１，４２が形成されている。詳しくは、透明電極１２１ａにおける主隔壁２４１と交差する箇所に欠片４１が形成され、透明電極１２２ａにおける主隔壁２４１と交差する箇所に欠片４２が形成されている。
そして、各欠片４１，４２は、平面視したときに主隔壁２４１の中央線Ａに対して線対称であって、欠片４１、４２の開口幅が、主隔壁２４１の幅よりも広く設定され、その深さ方向に進むに従って幅が狭くなり、欠片４１，４２の底部では主隔壁２４１の幅よりも狭くなっている。
【００２７】
すなわち、欠片４１の内縁における一方側（図２〜５における右側）の内縁傾斜部分４１ａ及び他方側（図２〜５における左側）の内縁傾斜部分４１ｂが、深さ方向（図２における上方向）に進むに従って互いに接近するように傾斜している。また、欠片４２の内縁における一方側（図２〜５における右側）の内縁傾斜部分４２ａ及び他方側（図２〜５における左側）の内縁傾斜部分４２ｂが、深さ方向（図２〜５における下方向）に進むに従って互いに接近するように傾斜している。
【００２８】
そして、欠片４１の内縁傾斜部分４１ａは、主隔壁２４１の縁２４１ａと交差し、内縁傾斜部分４１ｂは主隔壁２４１の縁２４１ｂと交差している。
図２〜図５に示す各実施例についてさらに詳細に説明する。
図２に示す実施例１は、欠片４１，４２が三角形状である。すなわち、内縁傾斜部分４１ａ及び内縁傾斜部分４１ｂがともに、欠片４１の開口端から中央Ｂまで直線的に傾斜し、内縁傾斜部分４２ａ及び内縁傾斜部分４２ｂも共に、欠片４２の開口端から中央Ｂまで直線的に傾斜している。
【００２９】
図３に示す実施例２は、欠片４１，４２が台形状である。すなわち、内縁傾斜部分４１ａ及び内縁傾斜部分４１ｂがともに、欠片４１の開口端から直線的に傾斜しているが、欠片４１の中央部Ｂ付近に内縁傾斜部分４１ａと内縁傾斜部分４１ｂとを結ぶ直線状の底縁部分４１ｃが存在する。また、内縁傾斜部分４２ａ及び内縁傾斜部分４２ｂもともに、欠片４２の開口端から直線的に傾斜しているが、欠片４２の中央部Ｂ付近に内縁傾斜部分４２ａと内縁傾斜部分４２ｂとを結ぶ直線状の底縁部分４２ｃが存在する。
【００３０】
図４に示す実施例３は、欠片４１，４２が、上記図２に示す三角形状に近いが、欠片４１、４２の開口端近傍の縁は、主隔壁２４１伸張方向と平行であって傾斜しておらず、欠片４１，４２の開口端から少し離れた位置から、直線的に傾斜する内縁傾斜部分４１ａ，４１ｂ及び直線的に傾斜する内縁傾斜部分４１ａ、４１ｂが設けられている。すなわち、欠片４１，４２は五角形のホームベース形状である。
【００３１】
図５に示す実施例４は、内縁傾斜部分４１ａ及び内縁傾斜部分４１ｂがともに、欠片４１の開口端から中央部Ｂまで連続的に傾斜が変化する曲線状であって、内縁傾斜部分４２ａ及び内縁傾斜部分４２ｂもともに、欠片４２の開口端から中央部Ｂまで連続的に傾斜が変化する曲線状である。
（効果の説明）
本実施形態のＰＤＰは、基本的な効果として、走査電極１２１に欠片４１を形成し、維持電極１２２に欠片４２を形成することによって、欠片４１，４２を形成した箇所では、走査電極１２１と維持電極１２２の間隙が大きくなるので、維持駆動時においてこの部分での電力消費が少なくなる。
【００３２】
従って、走査電極１２１、維持電極１２２に、欠片４１，４２を形成していない場合と比べて、無効電力は低減される。また、クロストークも低減される。
欠片４１，４２の深さについては、一般的に深さ１０μｍ以上とすることにより、無効電力を削減する効果が十分に得られる。一方、欠片４１，４２の深さを１００μｍよりも大きくしても、無効電力低減効果は大きくならず、逆に増加することもある。また、欠片４１，４２の深さを大きくすると、放電空間に臨む電極面積も減少するため、輝度が低下する。
【００３３】
従って、欠片４１，４２の深さを１０μｍ以上１００μｍ以下に設定することが、輝度の低下を抑えながら効率的に無効電力を削減する上で好ましい。
そして、本実施の形態では、欠片４１に内縁傾斜部分４１ａ、４１ｂが設けられるとともに、欠片４２に内縁傾斜部分４２ａ、４２ｂが設けられ、欠片４１，４２の開口幅が主隔壁２４１の幅より広く、内縁傾斜部分４１ａ、４１ｂどうしの間隔、内縁傾斜部分４２ａ、４２ｂどうしの間隔は、欠片の底部側で主隔壁２４１の幅より狭くなっているので、以下の効果を奏する。
【００３４】
（１）発光輝度が確保される。
内縁傾斜部分４１ａと主隔壁２４１の縁２４１ａとが近接した位置にあり、内縁傾斜部分４１ｂと主隔壁２４１の縁２４１ｂとが近接した位置にあるので、電極１２１に欠片４１を形成していない場合と比べて、放電空間３０に臨む電極面積はあまり変わらない。同様に、欠片４２の内縁傾斜部分４２ａが主隔壁２４１の縁２４１ａと近接した位置にあり、内縁傾斜部分４２ｂが主隔壁２４１の縁２４１ｂと近接した位置にあるので、電極１２２に欠片４２を形成していない場合と比べて、放電空間３０に臨む電極面積はあまり変わらない。
【００３５】
ここで、放電空間３０に臨んでいる電極面積があまり変わらなければ、走査電極１２１と維持電極１２２間で維持放電させるときの放電規模も同等とみることができるので、電極１２１，１２２に欠片４１，４２を形成してない場合と比べて、ＰＤＰの発光輝度が大きく低下することはない。
（２）電極に矩形状の欠片を形成する場合と比べて、同等以上の電力消費低減ができ、アライメントずれが生じた場合の輝度変化が少ない。
【００３６】
電力消費低減効果が大きい点について、比較例と比べながら説明する。
図６は、比較例１にかかるＰＤＰの構成を示す平面模式図である。
このＰＤＰは、上記図２のＰＤＰと同様の構成であって、走査電極３２１が透明電極３２１ａとバス電極１２１ｂからなり、維持電極３２２が透明電極３２２ａとバス電極１２２ｂからなるが、透明電極３２１ａには矩形状の欠片５１が形成され、透明電極３２２ａには矩形状の欠片５２が形成されている。
【００３７】
すなわち、欠片５１は、その内縁部分５１ａ、５１ｂが、主隔壁２４１伸張方向と平行であって、底縁部分５２ｃは主隔壁２４１伸張方向と直交している。
この比較例１においても、欠片５１、欠片５２の幅を主隔壁２４１の幅と同程度に設定すれば、放電空間３０に臨む電極面積を確保できるので、ＰＤＰの発光輝度が大きく低下することはない。
【００３８】
しかし、比較例１の表示電極３２１，３２２と比べて、本実施形態の表示電極１２１，１２２の方が欠片の開口幅が広くなるので、より大きな電力消費低減効果を得ることができる。
図７は、実施例１にかかるＰＤＰの欠片４２近傍と、比較例１にかかるＰＤＰの欠片５２近傍とを比較する図であって、当図では、主隔壁２４１の幅は４０μｍ、欠片４２と欠片５２の深さを同等の５０μｍに設定している。そして、放電空間３０に臨む電極面積が同等となるように、欠片５２の幅は５０μｍ、欠片４２の開口幅は８０μｍに設定している。
【００３９】
図７（ａ），（ｂ）からわかるように、実施例１の表示電極１２１，１２２と比較例１の表示電極３２１，３２２とを比べると、放電空間３０に臨む電極面積は同等であって、欠片５１，５２よりも欠片４１，４２の方が開口幅がかなり広くなる。
ここで、欠片の開口幅が大きほど無効電力低減効果を得るのに有利であるので、放電空間３０に臨む電極面積が同等ならば、実施例１の方が比較例１よりも大きな無効電力低減効果が得られる。
【００４０】
この点は以下の実験からも裏付けられる。
（無効電力低減効果の実験）
実施例１のＰＤＰにおいて、欠片４１，４２の開口幅を８０μｍ，１２０μｍ，１５０μｍに設定したものについて、欠片の深さＨを０〜１００μｍの範囲で変えて、無効電力を測定した。
【００４１】
比較例１のＰＤＰにおいても、欠片５１，５２の開口幅を５０μｍ，９０μｍ，１２０μｍに設定したものについて、欠片の深さＨを０〜１００μｍの範囲で変えて、無効電力を測定した。
図８（ａ），（ｂ）はその結果であって、欠片の深さに対する無効電力の大きさが示されている。なお、無効電力の大きさは、欠片を設けない場合を１としたときの相対値で示されている。
【００４２】
この実験結果から、いずれの場合も、欠片の深さＨがある程度のところまでは、深さＨが大きくなるにつれて無効電力の低減効果が大きくなるが、それ以上深さＨを大きくしても無効電力の低減効果は大きくならず、むしろ減少する傾向にあることがわかる。
また、欠片の開口幅Ｗが大きいほど、無効電力の低減効果が大きいことがわかる。
以上の結果は、本実施の形態のように開口幅が大きい欠片形状では、比較例１のように矩形の欠片形状と比べて、より大きな無効電力低減効果が得るのに有利であることを示している。
【００４３】
次に、アライメントずれが生じた場合の輝度変化が少ない理由を説明する。
比較例１の場合、内縁部分５１ａ、５２ａ位置が、主隔壁２４１の縁２４１ａの近くに位置し、内縁部分５１ｂ，５２ｂの位置が主隔壁２４１の縁２４１ｂの近くに位置するので、アライメントずれが生じると、放電空間３０に臨む電極面積が大きく減少する。これに対して、実施の形態においても、アライメントずれが生じると、放電空間３０に臨む電極面積が減少するものの、内縁傾斜部分４１ａ，４２ａが主隔壁２４１の縁２４１ａに対して傾斜し、内縁傾斜部分４１ｂ，４２ｂが主隔壁２４１の縁２４１ｂに対して傾斜しているので、その面積変化は少ない。
【００４４】
例えば、比較例１にかかる表示電極３２２の場合、図７（ｂ）に示す状態ではアライメントがなされ、主隔壁２４１の中央線Ａ上に、欠片５２の中央部Ｂが位置しており、電極３２２における内縁部分５２ｂの近傍領域は縁２４１ｂの外側（放電空間３０）に臨んでいるが、図７（ｄ）に示すように、欠片５２の主隔壁２４１に対する位置が右方向にずれたとする（ずれ量は１０〜２０μｍを想定している）と、この内縁部分５２ｂの近傍領域（図中Ｅで示す斜線領域）が主隔壁２４１上に重なってしまう。主隔壁２４１上に重なっていた領域のうち、図中Ｆの斜線領域が新たに放電空間３０に臨むが、（領域Ｅの面積ー領域Ｆの面積）だけ、電極３２２における放電空間３０に臨む電極面積が減少する。従って、アライメントずれが生じた場合の輝度変化が大きい。
【００４５】
これに対して、図７（ａ）に示す実施例１にかかる表示電極１２２の場合、図７（ａ）のようにアライメントされている状態から、図７（ｃ）に示すように欠片４２の主隔壁２４１に対する位置が右方向にずれたとすると、電極１２２における放電空間３０に臨んでいた領域のうち、図中Ｃの斜線領域が主隔壁２４１上に重なってしまう一方、主隔壁２４１上に重なっていた領域のうち、図中Ｄの斜線領域が新たに放電空間３０に臨むことになる。従って、電極１２２における放電空間３０に臨む電極面積は、トータルで（領域Ｃの面積−領域Ｄの面積）だけ減少することになるが、この電極面積の減少は、上記比較例１における電極面積の減少（領域Ｅの面積ー領域Ｆの面積）と比べると小さい。
【００４６】
更に、図７（ａ）に示す実施例１のＰＤＰと、図７（ｂ）に示す比較例１のＰＤＰについて、アライメントずれ量を変化させ、放電空間に臨む電極面積の減少を計算した。図９は、その結果を示すもので、アライメントずれ量と、放電空間に臨む電極面積との関係が示されている。
図９の結果から、比較例１と比べて実施例１の方が、アライメントずれ量が数μｍまでの範囲を除いて、放電空間に臨む電極面積の減少が少ないことがわかる。
【００４７】
実際のＰＤＰ製造工程では１０〜２０μｍ程度アライメントずれが生じ得ることを想定すると、この結果は、実施例１のＰＤＰの方が、アライメントずれに起因する輝度のばらつきが少ないことを裏付けている。
〔実施の形態２〕
本実施形態のＰＤＰは、上記実施の形態１のＰＤＰと同様の構成であって、表示電極１２における主隔壁２４１と交差する位置には、欠片４１，４２が形成され、そして、各欠片４１，４２は、平面視したときに主隔壁２４１の中央線Ａに対して線対称であって、その深さ方向に進むに従って幅が狭くなり、欠片４１，４２の底部では主隔壁２４１の幅よりも狭くなっている。すなわち、欠片４１の内縁における一方側（図１０，１２における右側）の内縁傾斜部分４１ａ及び他方側（図１０，１２における左側）の内縁傾斜部分４１ｂが、深さ方向に進むに従って互いに接近するように傾斜している。また、欠片４２の内縁における一方側（図１０，１２における右側）の内縁傾斜部分４２ａ及び他方側（図１０，１２における左側）の内縁傾斜部分４２ｂが、深さ方向に進むに従って互いに接近するように傾斜している。
【００４８】
ただし、上記実施の形態１では、欠片４１、４２の開口幅が主隔壁２４１の幅よりも広く設定されていたが、本実施形態では、欠片４１、４２の開口幅が主隔壁２４１の幅に対して、同程度（同じか若干小さく）設定されている点が異なっている。
図１０は、実施例５にかかるＰＤＰの構成を示す平面模式図である。この実施例５では、実施例１と同様に、欠片４１、４２が三角形状であるが、その開口幅が主隔壁２４１の幅と同等に設定されている。
【００４９】
図１２（ａ）は、実施例５にかかるＰＤＰの欠片４２近傍を示す図、図１２（ｂ）は、実施例６にかかるＰＤＰの欠片４２近傍とを示す図であって、当図では、主隔壁２４１の幅は４０μｍ、欠片４２の深さを５０μｍに設定している。
実施例６では、図１２（ｂ）に示されるように、欠片４１，４２は半円状であって、内縁傾斜部分４１ａ，４１ｂ及び内縁傾斜部分４２ａ，４２ｂは円弧状である。
【００５０】
本実施形態２のＰＤＰも、表示電極１２において、上記のように欠片４１，４２が形成されていることによって、無効電力やクロストークを低減する効果が得られる。
そして、欠片４１，４２の深さについては１０μｍ以上１００μｍ以下に設定することが、輝度の低下を抑えながら効率的に無効電力を削減する上で好ましい。
また、上記実施の形態１のＰＤＰと同様に、矩形の欠片を設けた場合と比べて、アライメントずれが生じた場合の輝度変化が小さい。以下に、この効果について、比較例２と比較しながら説明する。
【００５１】
図１１は、比較例２にかかるＰＤＰの構成を示す平面模式図である。このＰＤＰは、上記図６の比較例１にかかるＰＤＰと同様の構成であって、透明電極３２１ａには矩形状の欠片５１が形成され、透明電極３２２ａには矩形状の欠片５２が形成されているが、欠片５１，５２の開口幅は、主隔壁２４１と同等の４０μｍに設定されている。
図１２（ａ），（ｂ）に示す実施例５，６にかかる表示電極１２２において、アライメントされている状態では、主隔壁２４１の縁２４１ａ，２４１ｂは、当図実線のように欠片４２の開口端と一致するが、欠片４２の主隔壁２４１に対する位置が右方向にずれたとすると、縁２４１ａ，２４１ｂは破線の位置にずれることになる。このとき、電極１２２における放電空間３０に臨んでいた領域のうち、図中Ｃの斜線領域が主隔壁２４１上に重なってしまうが、一方、主隔壁２４１上に重なっていた領域のうち、図中Ｄの斜線領域が放電空間３０に新たに臨むことになる。従って、電極１２２における放電空間３０に臨む電極面積は、トータルで（領域Ｃの面積−領域Ｄの面積）だけ減少することになる。
【００５２】
これに対して、比較例２にかかる表示電極３２２の場合、欠片５２の主隔壁２４１に対する位置が同様に右方向にずれたとすると、（領域Ｃ）相当が主隔壁２４１上に重なって、領域Ｃにおける欠片５２の深さ分だけ、電極３２２における放電空間３０に臨む電極面積が減少する。
よって、比較例２のＰＤＰと比べて、実施例５，６のＰＤＰでは、領域Ｄにおける欠片５２の深さ分だけ、アライメントずれによる放電空間３０に臨む電極面積の減少が少なくなる。
【００５３】
更に、実施例５，６のＰＤＰと、比較例２のＰＤＰについて、アライメントずれ量を変化させ、放電空間に臨む電極面積の減少を計算した。図１３は、その結果を示すもので、アライメントずれ量と、放電空間に臨む電極面積との関係が示されている。
図１３に示されるように、アライメントずれ量が３０μｍまでの範囲全体において、比較例２と比べて実施例５，６の方が放電空間に臨む電極面積の減少が少なく、特に、実施例５では、放電空間に臨む電極面積の減少が少ないことがわかる。
【００５４】
この結果は、実際のＰＤＰ製造工程で、１０〜２０μｍ程度アライメントずれが生じる場合に、本実施形態のＰＤＰでは輝度のばらつきが少ないことを示している。
〔実施の形態３〕
図１４〜１７は、本実施形態の実施例７〜９にかかるＰＤＰの構成を示す平面模式図である。
【００５５】
本実施形態のＰＤＰは、上記実施の形態１のＰＤＰと同様の構成であって、表示電極１２における主隔壁２４１と交差する位置には、欠片４１，４２が形成され、そして、各欠片４１，４２は、平面視したときに主隔壁２４１の中央線Ａに対して線対称であって、その深さ方向に進むに従って幅が狭くなっている。
すなわち、欠片４１の内縁における一方側（図１４〜１７における右側）の内縁傾斜部分４１ａ及び他方側（図１４〜１７における左側）の内縁傾斜部分４１ｂが、深さ方向に進むに従って互いに接近するように傾斜している。また、欠片４２の内縁における一方側（図１４〜１７における右側）の内縁傾斜部分４２ａ及び他方側（図１４〜１７における左側）の内縁傾斜部分４２ｂが、深さ方向に進むに従って互いに接近するように傾斜している。
【００５６】
ただし、本実施の形態では、欠片４１，４２の底部位置に突部６１，６２が形成されている。
すなわち、上記実施の形態１では、欠片４１，４２の底部で、内縁傾斜部分４１ａと内縁傾斜部分４１ｂの間隔及び内縁傾斜部分４２ａと内縁傾斜部分４２ｂの間隔が、主隔壁２４１の幅よりも狭く縮まっていたのに対して、本実施形態では、欠片４１，４２の底部でも、内縁傾斜部分４１ａと内縁傾斜部分４１ｂの間隔は主隔壁２４１の幅より狭くはならず、両者の間に突部６１，６２が形成されている。
【００５７】
そして、突部６１，６２の最大幅は、主隔壁２４１の幅以下に設定されている。
また、突部６１，６２は、深さ方向に幅が広がる形状であって、突部６１の縁は、主隔壁２４１の伸張方向に対して傾斜する傾斜部分６１ａ，６１ｂを有し、突部６２の縁は、主隔壁２４１の伸張方向に対して傾斜する傾斜部分６２ａ，６２ｂを有している。
なお、傾斜部分６２ａ，６２ｂの最大間隔は主隔壁２４１の幅以下である。
【００５８】
また、図１４〜１７に示される例では、内縁傾斜部分４１ａ，４２ａと傾斜部分６１ａ，６２ａは主隔壁２４１の縁２４１ａに沿った線に対して線対称的に傾斜し、内縁傾斜部分４１ｂ，４２ｂと傾斜部分６１ｂ，６２ｂも、主隔壁２４１の縁２４１ｂに沿った線に対して線対称的に傾斜している。
図１４〜図１７に示す各実施例についてさらに詳細に説明する。
【００５９】
図１４に示す実施例７は、突部６１，６２が三角形状であって、内縁傾斜部分４１ａ，４１ｂ，４２ａ，４２ｂ、傾斜部分６１ａ，６１ｂ，６２ａ，６２ｂは、すべて直線状で長さも同等である。また、内縁傾斜部分４１ａ，４１ｂ，４２ａ，４２ｂの底側端部と、傾斜部分６１ａ，６１ｂ，６２ａ，６２ｂの底側端部とが一致している。
図１５に示す実施例８は、実施例７と同様に内縁傾斜部分４１ａ，４１ｂ，４２ａ，４２ｂ、傾斜部分６１ａ，６１ｂ，６２ａ，６２ｂは、すべて直線状であるが、突部６１，６２が台形状であって、内縁傾斜部分４１ａ，４１ｂ，４２ａ，４２ｂの長さより、傾斜部分６１ａ，６１ｂ，６２ａ，６２ｂの長さが短い。
【００６０】
図１６に示す実施例９は、上記実施例８と同様であるが、内縁傾斜部分４１ａ，４１ｂ，４２ａ，４２ｂの底側端部と、傾斜部分６１ａ，６１ｂ，６２ａ，６２ｂの底側端部とが一致しておらず、両者の間に平坦な底縁が存在する。
図１７に示す実施例１０は、内縁傾斜部分４１ａ，４１ｂと傾斜部分６１ａ，６１ｂがともに、連続的に傾斜が変化する曲線状であって、内縁傾斜部分４２ａ，４２ｂと傾斜部分６２ａ，６２ｂもともに、連続的に傾斜が変化する曲線状である。
【００６１】
本実施形態３のＰＤＰも、上記実施の形態１のＰＤＰと同様に、表示電極１２において欠片４１，４２が形成されていることによって、無効電力やクロストークを低減する効果が得られる。そして、欠片４１，４２の深さについては１０μｍ以上１００μｍ以下に設定することが、輝度の低下を抑えながら効率的に無効電力を削減する上で好ましい。
また、本実施形態においては、欠片４１，４２の幅が、開口部分では主隔壁２４１の幅よりも広く、欠片４１，４２の底部位置に突部６１、６２が形成されているので、上記実施の形態１，２と比べて、アライメントずれに伴って放電空間３０に臨む電極面積が低減する度合いが更に小さくなる。よって、アライメントずれが生じた場合の輝度変化も、上記実施の形態１，２と比べて更に小さくなる。
【００６２】
また、突部６１の縁に深さ方向に幅が広がるように傾斜する傾斜部分６１ａ，６１ｂが設けられ、突部６２の縁に深さ方向に幅が広がるように傾斜する傾斜部分６２ａ，６２ｂが設けられていることは、アライメントずれに伴うＰＤＰの輝度ばらつきを更に小さくするのに寄与する。
また、内縁傾斜部分４１ａ，４１ｂどうしの最小間隔及び内縁傾斜部分４２ａ，４２ｂどうしの最小間隔が、主隔壁２４１の幅以上であり、傾斜部分６１ａ，６１ｂどうしの最大間隔及び傾斜部分６２ａ，６２ｂどうしの最大間隔が主隔壁２４１の幅以下になっていることも、アライメントずれに伴うＰＤＰの輝度ばらつきを更に小さくするのに寄与する。
【００６３】
また、内縁傾斜部分４１ａ，４２ａと傾斜部分６１ａ，６２ａは主隔壁２４１の縁２４１ａに沿った線に対して線対称的に傾斜し、内縁傾斜部分４１ｂ，４２ｂと傾斜部分６１ｂ，６２ｂも、主隔壁２４１の縁２４１ｂに沿った線に対して線対称的に傾斜していることによって、アライメントずれに伴うＰＤＰの輝度ばらつきをほとんどなくすことができる。
【００６４】
この点について、図１８を参照しながら説明する。
図１８は、実施例７にかかるＰＤＰにおける表示電極１２２の欠片４２近傍を示す図である。
図１８（ａ）のようにアライメントされている状態から、図１８（ｂ）に示すように欠片４２の主隔壁２４１に対する位置が右方向にずれたとする（ずれ量は１０〜２０μｍ程度を想定している）と、電極１２２における放電空間３０に臨んでいた領域のうち、図中Ｃの斜線領域が主隔壁２４１上に重なる一方、主隔壁２４１上に重なっていた領域のうち、図中Ｄの斜線領域が新たに放電空間３０に臨むことになる。
【００６５】
ここで、表示電極１２２における新たに放電空間３０に臨む箇所（領域Ｄ）には、突部６２が形成されているので、領域Ｃの面積と領域Ｄの面積の差はわずかである。
よって、本実施形態によれば、アライメントずれに伴って放電空間３０に臨む電極面積が減少する度合いはきわめて小さくなる。
また、上記のように、内縁傾斜部分４１ａ，４２ａと傾斜部分６１ａ，６２ａは主隔壁２４１の縁２４１ａに沿った線に対して線対称的に傾斜し、内縁傾斜部分４１ｂ，４２ｂと傾斜部分６１ｂ，６２ｂも、主隔壁２４１の縁２４１ｂに沿った線に対して線対称的に傾斜している場合は、領域Ｃの面積と領域Ｄの面積は同等となる。
【００６６】
従って、アライメントずれが１０〜２０μｍ程度生じても、放電空間３０に臨む電極面積は変わらない。
【産業上の利用可能性】
【００６７】
本発明によれば、ＰＤＰにおいて、輝度ばらつきの発生を抑えながら、無効電力の低減を図ることができるので、大型且つ薄型のディスプレイパネルにおいて、表示品質を改善しながら消費電力を低減するに有効である。
【図面の簡単な説明】
【００６８】
【図１】本発明の一実施形態にかかるＰＤＰの構成を示す要部斜視図である。
【図２】実施例１かかるＰＤＰの構成を示す平面模式図である。
【図３】実施例２かかるＰＤＰの構成を示す平面模式図である。
【図４】実施例３かかるＰＤＰの構成を示す平面模式図である。
【図５】実施例４かかるＰＤＰの構成を示す平面模式図である。
【図６】比較例１にかかるＰＤＰの構成を示す平面模式図である。
【図７】実施例１と比較例１にかかるＰＤＰについて欠片近傍を比較する図である。
【図８】実施例１と比較例１のＰＤＰについて、無効電力低減効果の実験結果を示すグラフである。
【図９】実施例１と比較例１のＰＤＰについて、アライメントずれ量と放電空間に臨む電極面積との関係を示すグラフある。
【図１０】実施例５にかかるＰＤＰの構成を示す平面模式図である。
【図１１】比較例２にかかるＰＤＰの構成を示す平面模式図である。
【図１２】実施例５、６にかかるＰＤＰの欠片近傍を示す図である。
【図１３】実施例５，６と比較例２のＰＤＰについて、アライメントずれ量と放電空間に臨む電極面積との関係を示すグラフある。
【図１４】実施例７にかかるＰＤＰの構成を示す平面模式図である。
【図１５】実施例８にかかるＰＤＰの構成を示す平面模式図である。
【図１６】実施例９にかかるＰＤＰの構成を示す平面模式図である。
【図１７】実施例１０にかかるＰＤＰの構成を示す平面模式図である。
【図１８】実施例７にかかるＰＤＰにおける表示電極の欠片近傍を示す図である。
【符号の説明】
【００６９】
１１    前面基板
１２    表示電極
１３    誘電体膜
１４    保護膜
２１    背面基板
２２    データ電極
２３    誘電体膜
２４    隔壁
２５    蛍光体膜
３０    放電空間
４１，４２  欠片
４１ａ，４１ｂ，４２ａ，４２ｂ  内縁傾斜部分
４１ｃ，４２ｃ  底縁部分
６１，６２  突部
６１ａ，６１ｂ，６２ａ，６２ｂ  傾斜部分
１００    ＰＤＰ
１２１，１２２  表示電極
１２１ａ，１２２ａ  透明電極
１２１ｂ，１２２ｂ  バス電極
２４１    主隔壁
２４１ａ，２４１ｂ  主隔壁の縁
２４２    副隔壁
【図１】
2008034105.tif 000003
【図２】
2008034105.tif 000004
【図３】
2008034105.tif 000005
【図４】
2008034105.tif 000006
【図５】
2008034105.tif 000007
【図６】
2008034105.tif 000008
【図７】
2008034105.tif 000009
【図８】
2008034105.tif 000010
【図９】
2008034105.tif 000011
【図１０】
2008034105.tif 000012
【図１１】
2008034105.tif 000013
【図１２】
2008034105.tif 000014
【図１３】
2008034105.tif 000015
【図１４】
2008034105.tif 000016
【図１５】
2008034105.tif 000017
【図１６】
2008034105.tif 000018
【図１７】
2008034105.tif 000019
【図１８】
2008034105.tif 000020